(57)【特許請求の範囲】
【請求項１】
圧縮復元弾性を有する繊維ウェブから構成され、前記繊維ウェブをその厚み方向へ貫通する多数の開孔部と、前記開孔部を形成する障壁部とを備えた衛生物品用の体液吸収性パネルにおいて、
少なくとも二つのパネル部材から構成され、前記パネル部材は前記厚み方向において互いに重なり合い、上部に位置する前記パネル部材の開孔部の一部は、その直下に位置する前記パネル部材の前記障壁部が横切ることによって分割され、
上部に位置する前記パネル部材の開孔部の開孔面積が、その直下に位置する前記パネル部材の開孔部の開孔面積よりも小さくなっており、
前記障壁部が、多数の熱可塑性合成樹脂繊維からなる形態保持層と、前記形態保持層の上下面のいずれか一方に重なり、多数の熱可塑性合成樹脂繊維に吸収性材料を混入した体液保持層とを有し、
前記形態保持層では、前記合成樹脂繊維どうしがそれら繊維の接点で熱融着し、前記体液保持層では、前記合成樹脂繊維どうしがそれら繊維の接点で熱融着し、前記形態保持層と前記体液保持層との接触面では、それら層の前記合成樹脂繊維どうしがそれら繊維の接点で熱融着していることを特徴とする前記体液吸収性パネル。
【請求項２】
前記吸収性材料が、熱融着性高吸収性ポリマー粒子と高吸収性ポリマーからなる多数の液吸収性繊維との少なくとも一方であり、前記体液保持層では、前記合成樹脂繊維と前記ポリマー粒子とがそれらの接点で熱融着し、前記形態保持層と前記体液保持層との接触面では、該形態保持層の前記合成樹脂繊維と該体液保持層の前記ポリマー粒子とがそれらの接点で熱融着している請求項１記載の体液吸収性パネル。
【請求項３】
前記障壁部が、互いに離間並行して第１の方向へ延びる複数条の第１障壁部と、互いに離間並行して前記第１障壁部と交差する第２の方向へ延びる複数条の第２障壁部とから形成され、前記開孔部が、互いに隣り合う二条の前記第１障壁部と、それら二条の第１障壁部と交差して互いに隣り合う二条の前記第２障壁部とから画成されている請求項１または請求項２に記載の体液吸収性パネル。
【請求項４】
前記パネル部材に対する前記開孔部の開孔率が、２０〜８０％の範囲、前記開孔部の開孔面積が、１０〜１６００ｍｍ２の範囲にあり、上部に位置する前記パネル部材の開孔部の開孔面積とその直下に位置する前記パネル部材のそれとが、上部に位置するパネル部材≦その直下に位置するパネル部材、の関係にある請求項１ないし請求項３いずれかに記載の体液吸収性パネル。
【請求項５】
前記障壁部の厚み方向の寸法に対する前記形態保持層と前記体液保持層との比率が、（前記形態保持層）６：４（前記体液保持層）〜（前記形態保持層）８：２（前記体液保持層）の関係にある請求項１ないし請求項４いずれかに記載の体液吸収性パネル。
【請求項６】
前記体液保持層が、多数のセルロース系繊維を含む請求項１ないし請求項５いずれかに記載の体液吸収性パネル。
【請求項７】
最下部に位置する前記パネル部材の下面には、マット状の吸液性コアが配置されている請求項１ないし請求項６いずれかに記載の体液吸収性パネル。
【発明の詳細な説明】
【０００１】
【発明の属する技術分野】
本発明は、使い捨ておむつや生理用ナプキン、失禁用吸液パッド等の衛生物品に使用する体液吸収性パネルに関する。
【０００２】
【従来の技術】
特開平５−２５３２５９号公報は、透液性表面シートと不透液性裏面シートとの間に排泄物を吸収，保持するパネルが介在し、パネルがその厚み方向へ貫通する多数の開孔部を有する使い捨ておむつを開示している。このおむつでは、排泄物がパネルの開孔部に収容、かつ、パネルに吸収されるので、表面シートに対する排泄物の残留を防ぐことができる。このおむつでは、熱可塑性合成樹脂繊維と粉砕パルプと高吸収性ポリマー粒子とからなる混合物がパネルの一例として記載されている。
【０００３】
【発明が解決しようとする課題】
同号公報には、パネルの合成樹脂繊維どうしが互いに交絡していることは記載されているが、合成樹脂繊維どうしの接点においてそれら繊維が熱融着しているという記載はない。ゆえに、このパネルでは、合成樹脂繊維どうしが交絡しているとしても、合成樹脂繊維どうしが互いの動きを拘束することがないので、厚み方向から圧力が加えられた場合、潰れ易く、潰れた状態から所要の厚み寸法に復元し難い。特に、このパネルは、多数の開孔部を有するので、無開孔のものと比較して、厚み方向から加えられた圧力に対する強度が低く、わずかな圧力で潰れてしまうことがある。
【０００４】
また、このパネルでは、高吸水性ポリマー粒子が合成樹脂繊維と粉砕パルプとの繊維間隙に保持されているだけなので、パネルが潰れると、ポリマー粒子が合成樹脂繊維と粉砕パルプとの繊維間隙から外れ、ポリマー粒子がパネルから脱落してしまうこともある。
【０００５】
本発明の課題は、厚み方向から圧力が加えられたとしても潰れ難く、潰れたとしても再び所要の厚み寸法に復元可能な衛生物品用の体液吸収性パネルを提供することにある。
【０００６】
【課題を解決するための手段】
前述した課題を解決するための本発明の前提は、圧縮復元弾性を有する繊維集合体からなり、前記繊維集合体をその厚み方向へ貫通する多数の開孔部と、前記開孔部を形成する障壁部とを備えた衛生物品用の体液吸収性パネルである。
【０００７】
かかる前提において、本発明の特徴は、少なくとも二つのパネル部材から構成され、前記パネル部材は前記厚み方向において互いに重なり合い、上部に位置する前記パネル部材の開孔部の一部は、その直下に位置する前記パネル部材の前記障壁部が横切ることによって分割され、上部に位置する前記パネル部材の開孔部の開孔面積が、その直下に位置する前記パネル部材の開孔部の開孔面積よりも小さくなっており、前記障壁部が、多数の熱可塑性合成樹脂繊維からなる形態保持層と、前記形態保持層の上下面のいずれか一方に重なり、多数の熱可塑性合成樹脂繊維に吸収性材料を混入した体液保持層とを有し、前記形態保持層では、前記合成樹脂繊維どうしがそれら繊維の接点で熱融着し、前記体液保持層では、前記合成樹脂繊維どうしがそれら繊維の接点で熱融着し、前記形態保持層と前記体液保持層との接触面では、それら層の前記合成樹脂繊維どうしがそれら繊維の接点で熱融着していることにある。
【０００８】
本発明は、以下の実施の態様を有する。
【０００９】
（１）前記吸収性材料が、熱融着性高吸収性ポリマー粒子と高吸収性ポリマーからなる多数の液吸収性繊維との少なくとも一方であり、前記体液保持層では、前記合成樹脂繊維と前記ポリマー粒子とがそれらの接点で熱融着し、前記形態保持層と前記体液保持層との接触面では、該形態保持層の前記合成樹脂繊維と該体液保持層の前記ポリマー粒子とがそれらの接点で熱融着している。
【００１０】
（２）前記障壁部が、互いに離間並行して第１の方向へ延びる複数条の第１障壁部と、互いに離間並行して前記第１障壁部と交差する第２の方向へ延びる複数条の第２障壁部とから形成され、前記開孔部が、互いに隣り合う二条の前記第１障壁部と、それら二条の第１障壁部と交差して互いに隣り合う二条の前記第２障壁部とから画成されている。
【００１１】
【００１２】
（３）前記パネル部材に対する前記開孔部の開孔率が、２０〜８０％の範囲、前記開孔部の開孔面積が、１０〜１６００ｍｍ２の範囲にあり、上部に位置する前記パネル部材の開孔部の開孔面積とその直下に位置する前記パネル部材のそれとが、上部に位置するパネル部材≦その直下に位置するパネル部材、の関係にある。
【００１３】
【００１４】
（４）前記障壁部の厚み方向の寸法に対する前記形態保持層と前記体液保持層との比率が、（前記形態保持層）６：４（前記体液保持層）〜（前記形態保持層）８：２（前記体液保持層）の関係にある。
【００１５】
（５）前記体液保持層が、多数のセルロース系繊維を含む。
【００１６】
（６）最下部に位置する前記パネル部材の下面には、マット状の吸液性コアが配置されている。
【００１７】
【発明の実施の形態】
添付の図面を参照して、本発明に係る衛生物品用の体液吸収性パネルの詳細を説明すると、以下のとおりである。
【００１８】
図１は、体液吸収性パネル１の部分破断斜視図であり、図２は、パネル１における排泄物の流入、拡散、吸収を示す模式図である。図１では、縦方向を矢印Ｘで、横方向を矢印Ｙで示し、図２では、排泄物の流れを矢印Ｚで示す。
【００１９】
体液吸収性パネル１は、圧縮復元弾性を有する繊維ウェブから構成され、互いに対向して縦方向へ延びる両側縁部１ａと、互いに対向して横方向へ延びる両端縁部１ｂとを有する。
【００２０】
パネル１は、厚み方向において重なり合う別体の第１パネル部材１Ａと第２パネル部材１Ｂとから形成されている。第１および第２パネル部材１Ａ，１Ｂは、それらパネル部材１Ａ，１Ｂを厚み方向へ貫通する多数の開孔部２と、開孔部２を囲む障壁部３とを有する。障壁部３は、複数条の第１障壁部３ａと複数条の第２障壁部３ｂとからなり、第１障壁部３ａがパネル１の両端縁部１ａと両側縁部１ｂとに対して斜め方向へ互いに離間並行して延び、第２障壁部３ｂが第１障壁部３ａと交差して斜め方向へ互いに離間並行して延びている。第１および第２パネル部材１Ａ，１Ｂでは、それらパネル部材１Ａ，１Ｂの第１障壁部３ａと第２障壁部３ｂとの互いに重なり合う部分が固着されている。
【００２１】
開孔部２は、隣り合う二条の第１障壁部３ａと、それら二条の第１障壁部３ａと交差して互いに隣り合う二条の第２障壁部３ｂとから画成されている。パネル１では、第１パネル部材１Ａの開孔部２の開孔面積と第２パネル部材１Ｂのそれとが、第１パネル部材＜第２パネル部材の関係にある。したがって、第１および第２パネル部材１Ａ，１Ｂを重ね合わせると、第１パネル部材１Ａの開孔部２と第２パネル部材１Ｂの開孔部２とがその一部において互いに一致することなく、第１パネル部材１Ａの開孔部２の第２パネル部材１Ｂ側の開孔面は、第２パネル部材１Ｂの第１および第２障壁部３ａ，３ｂが前記第２パネル部材１Ｂ側の開孔面を横切ることによって複数に分割される。このような第１パネル部材１Ａの開孔部２の第２パネル部材１Ｂ側の開孔面は、第２パネル部材１Ｂの障壁部３ａ，３ｂによって少なくとも二つに分割されていればよい。
【００２２】
障壁部３は、多数の熱可塑性合成樹脂繊維からなる形態保持層Ｌ１と、多数の熱可塑性合成樹脂繊維に吸収性材料と粉砕パルプとを混入した体液保持層Ｌ２とを有する。障壁部３では、体液保持層Ｌ２が形態保持層Ｌ１の下面に重なっている。吸収性材料としては、熱融着性高吸収性ポリマー粒子と高吸収性ポリマーからなる多数の液吸収性繊維とを使用している。
【００２３】
形態保持層Ｌ１では、合成樹脂繊維どうしが機械的に交絡または重なり合い、合成樹脂繊維どうしがそれら繊維の接点において熱融着している。体液保持層Ｌ２では、合成樹脂繊維と粉砕パルプと液吸収性繊維とが機械的に交絡または重なり合い、合成樹脂繊維どうしがそれら繊維の接点において熱融着している。体液保持層Ｌ２では、合成樹脂繊維と粉砕パルプと液吸収性繊維との繊維間隙にポリマー粒子が保持されるとともに、合成樹脂繊維とポリマー粒子とがそれらの接点において熱融着している。
【００２４】
形態保持層Ｌ１と体液保持層Ｌ２との接触面では、それら層Ｌ１，Ｌ２の合成樹脂繊維どうしがそれらの接点で熱融着しているとともに、形態保持層Ｌ１の合成樹脂繊維と体液保持層Ｌ２のポリマー粒子とがそれらの接点で熱融着している。
【００２５】
障壁部３では、形態保持層Ｌ１と体液保持層Ｌ２とにおいて合成樹脂繊維どうしがそれらの接点において熱融着しているので、合成樹脂繊維どうしが互いの動きを拘束し合い、厚み方向へ圧力が加えられたとしても、潰れ難く、潰れたとしても再び所要の厚み寸法に復元することができる。
【００２６】
特に、合成樹脂繊維からなる形態保持層Ｌ１は、体液保持層Ｌ２よりも前記圧力に対する強度が高く、優れた圧縮復元弾性を有するので、障壁部３が体液保持層Ｌ２だけからなる場合と比較し、圧力に対する障壁部３の強度と圧縮復元弾性とを向上させることができる。また、体液保持層Ｌ２では、合成樹脂繊維とポリマー粒子とがそれらの接点において熱融着しているので、障壁部３が潰れたとしても、ポリマー粒子が体液保持層Ｌ２から脱落してしまうことがない。
【００２７】
排泄物は、図２に示すように、第１パネル部材１Ａの障壁部３の上面と側面とから形態保持層Ｌ１に滲入するとともに、障壁部３の側面から体液保持層Ｌ２に吸収，保持される。第１パネル部材１Ａに吸収されずに第２パネル部材１Ｂに到達した排泄物は、第２パネル部材１Ｂの障壁部３の上面と側面とから形態保持層Ｌ１に滲入するとともに、障壁部３の側面から体液保持層Ｌ２に吸収，保持される。障壁部３の形態保持層Ｌ１に滲入した排泄物は、形態保持層Ｌ１から体液保持層Ｌ２へ移動し、体液保持層Ｌ２に保持される。
【００２８】
パネル１では、排泄物が第１および第２パネル部材１Ａ，１Ｂの障壁部３の内部に吸収されつつ、その流れ方向がそれらパネル部材１Ａ，１Ｂの障壁部３によって分流される。パネル１では、第１パネル部材１Ａから第２パネル部材１Ｂへ向って排泄物を素早く拡散させることができる。パネル１では、第１パネル部材１Ａの開孔部２の開孔面積が第２パネル部材１Ｂのそれよりも小さいので、第２パネル部材１Ｂから第１パネル部材１Ａへの排泄物の移動を阻止することができる。
【００２９】
パネル１では、開孔部２の開口率が２０〜８０％の範囲にあり、開孔部２の開孔面積が１０〜１６００ｍｍ２の範囲にある。ここで、開孔率とは、パネル１の総面積に対する開孔部２の総面積の比率である。開孔率が２０％未満、かつ、開孔面積が１０ｍｍ２未満の場合では、開孔部２において排泄物を収容しきれず、排泄物が第１パネル部材１Ａの上面に滞留してしまうことがある。開孔率が８０％を超過し、かつ、開孔面積が１６００ｍｍ２を超過する場合では、圧力に対する障壁部３の強度が著しく弱くなり、わずかな圧力で障壁部３が潰れてしまうことがある。
【００３０】
【００３１】
パネル１では、障壁部３の厚み方向の寸法Ｍに対する形態保持層Ｌ１と体液保持層Ｌ２との比率が、（形態保持層）６：４（体液保持層）〜（形態保持層）８：２（体液保持層）の関係にあることが好ましい。形態保持層Ｌ１が８割を超過する場合では、体液保持層Ｌ２が減少し、障壁部３における排泄物の吸収能力が低下してしまう。形態保持層Ｌ１が６割未満の場合では、形態保持層Ｌ１が減少し、障壁部３の圧力に対する強度が弱くなってしまう。なお、障壁部３の厚み寸法Ｍは、５〜５０ｍｍの範囲にあることが好ましく、１０〜３０ｍｍの範囲にあることがより好ましい。
【００３２】
パネル部材を製造する一例は、以下のとおりである。開孔形状に合わせた凸型ピンが配置された移動コンベアー上に、空気中に放出、分散させた熱可塑性合成樹脂繊維、粉砕パルプ、熱融着性高吸収性ポリマー粒子、液吸収性繊維、を積層して体液保持層を形成する。その後、体液保持層の上部に、空気中に放出、分散させた熱可塑性合成樹脂繊維を積層して形態保持層を形成する。形態保持層と体液保持層とが形成されたパネル部材には、移動コンベアー上において熱風が吹き付けられ、合成樹脂繊維どうしが熱融着するとともに、合成樹脂繊維と熱融着性高吸収性ポリマー粒子とが熱融着する。
【００３３】
合成樹脂繊維としては、ポリプロピレンやポリエチレン等のポリオレフィン系繊維、ポリエチレンテレフタレートやポリブチレンテレフタレート等のポリエステル系繊維、ナイロン６６やナイロン６等のポリアミド系繊維、アクリル系繊維、のうちのいずれかを使用することができる。また、ポリエチレン／ポリプロピレンまたはポリエステルからなる芯鞘型複合繊維やサドバイサイド型複合繊維を使用することもできる。合成樹脂繊維には、親水処理を施すことが好ましい。体液保持層には、粉砕パルプの他に、レーヨン、アセテート等のセルロース系繊維を含んでいてもよい。
【００３４】
パネルは、上部に位置するパネル部材の一部の開孔部がその直下に位置するパネル部材の障壁部によって少なくとも二つに分割されていれば、パネル部材が二つを超過して重なり合うものであってもよい。この場合は、パネル部材の開孔部の開口面積が下部に位置するパネル部材から上部に位置するパネル部材へ向って次第に小さくなっていることが好ましい。また、パネル部材は、体液保持層が形態保持層の上面に重なっていてもよい。パネル部材における開孔部は、四角形のものに限定するものではなく、円形や楕円、矩形、三角形等の形状のものであってもよい。
【００３５】
図３，４は、図１のパネル１を使用した衛生物品の一例として示す使い捨ておむつ１０の部分破断斜視図と、図３のＡ−Ａ線断面図とであり、図３では、縦方向を矢印Ｘで示し、横方向を矢印Ｙで示す。おむつ１０は、透液性表面シート１１と、不透液性裏面シート１２と、実質的に無開口のマット状の吸液性コア１３と、パネル１とを基本構成部材とする。
【００３６】
おむつ１０は、縦方向に前胴周り域２０と、後胴周り域２２と、前後胴周り域２０，２２の間に位置する股下域２１とを有し、互いに対向して横方向へ延びる両端縁部１０ｂと、互いに対向して縦方向へ延び、股下域２１においておむつ１０の内方へ向かって弧を画く両側縁部１０ａとを有する。おむつ１０の両側縁部１０ａには、縦方向へ延びる一対の防漏シート１４が取り付けられている。
【００３７】
コア１３は、表面シート１１と裏面シート１２との間に介在し、全体がティッシュペーパー（図示せず）に被覆，接合され、ティッシュペーパーを介して表面シート１１と裏面シート１２との少なくとも一方に固着されている。パネル１は、コア１３の上部に配置され、第２パネル部材１Ｂの下面が表面シート１１に固着されている。
【００３８】
おむつ１０の両端縁部１０ｂには、横方向へ延びるフィルム状の胴周り用弾性部材１５が表面シート１１と裏面シート１２との間に介在し、それらシート１１，１２のうちの少なくとも一方に伸長状態で取り付けられている。おむつ１０の両側縁部１０ａには、縦方向へ延びる複数条の脚周り用弾性部材１６が伸長状態で取り付けられている。後胴周り域２２におけるおむつ１０の両側縁部１０ａには、横方向内方へ延びるテープファスナ１７の基端部が取り付けられている。前胴周り域２０における裏面シート１２の外面には、テープファスナ１７の止着域となる矩形のターゲットテープ（図示せず）が取り付けられている。
【００３９】
防漏シート１４は、コア１３の両側縁部１３ａの外側近傍を縦方向へ延び、表面シート１１に固着された固定縁部１４ａと、股下域２１に位置しておむつ１０の横方向内方へ向って延び、表面シート１１の上方へ起立性向を有する自由縁部１４ｂと、おむつ１０の横方向内方へ倒伏された状態で表面シート１１に固着された両端部１４ｃとを有する。防漏シート１４では、固定縁部１４ａから横方向外方へ外側部分１４ｄが延びている。自由縁部１４ｂには、縦方向へ延びる弾性伸縮性部材１８が伸長状態で固着されている。弾性部材１８は、自由縁部１４ｂの一部に被覆されている。
【００４０】
図３では、おむつ１０がその内面を内側にして縦方向へ湾曲し、弾性部材１５，１６，１８が収縮して両端縁部１０ｂおよび両側縁部１０ａと防漏シート１４の自由縁部１４ｂとにギャザーが形成されている。おむつ１０では、テープファスナ１７の自由端部の内面に塗布された粘着剤を介して、ターゲットテープにテープファスナ１７を止着すると、胴周り開口と、一対の脚周り開口とが画成される（図示せず）。
【００４１】
おむつ１０では、表面シート１１の外側部分１１ａがコア１３の両側縁部１３ａから横方向外方へわずかに延び、裏面シート１２の外側部分１２ａと防漏シート１４の外側部分１４ｄとが外側部分１１ａよりもさらに横方向外方へ延びている。外側部分１１ａは、外側部分１２ａと外側部分１４ｄとの間に介在し、それら部分１２ａ，１４ｄの少なくとも一方に固着されている。外側部分１２ａと外側部分１４ｄとは、それら部分１２ａ，１４ｄが互いに重なり合った状態で固着されている。脚周り用弾性部材１６は、外側部分１２ａと外側部分１４ｄとの間に介在し、それら部分１２ａ，１４ｄの少なくとも一方に取り付けられている。
【００４２】
おむつ１０の両端縁部１０ｂでは、コア１３の両端縁から縦方向外方へ延びる表面シート１１と裏面シート１２とが互いに重なり合った状態で固着されている。
【００４３】
おむつ１０では、排泄物が第１および第２パネル部材１Ａ，１Ｂの障壁部３の内部に吸収されつつ、その流れ方向がそれらパネル部材１Ａ，１Ｂの障壁部３によって分流される。排泄物は、第１パネル部材１Ａから第２パネル部材１Ｂへ向い素早く拡散する。第１および第２パネル部材１Ａ，１Ｂに吸収されない排泄物は、表面シート１１を透過してコア１３に吸収される。
【００４４】
表面シート１１には、不織布や開孔プラスチックフィルム等の透液性のシート、好ましくは透液性であって親水性のシートを使用することができる。裏面シート１２や防漏シート１４には、疎水性不織布、不透液性のプラスチックフィルム、または、疎水性不織布とプラスチックフィルムとのラミネートシート、好ましくは通気不透液性のシートを使用することができる。また、裏面シートや防漏シートには、高い耐水性を有するメルトブローン法による不織布を、高い強度を有しかつ柔軟性に富んだスパンボンド法による不織布で挟んだ複合不織布を使用することもできる。
【００４５】
不織布としては、スパンレース、ニードルパンチ、メルトブローン、サーマルボンド、スパンポンド、ケミカルボンド、エアースルー、の各製法により製造された不織布を使用することができる。不織布の構成繊維としては、ポリオレフィン系、ポリエステル系、ポリアミド系、の各繊維、ポリエチレン／ポリプロピレンまたはポリエステルからなる芯鞘型複合繊維やサドバイサイド型複合繊維を使用することができる。
【００４６】
コア１３は、熱可塑性合成樹脂繊維と粉砕パルプと高吸収性ポリマー粒子との混合物であり、所要の厚みに圧縮されている。
【００４７】
表裏面シート１１，１２の固着、表裏面シート１１，１２に対するコア１３やパネル１、防漏シート１４の固着、弾性部材１５，１６，１８の取り付けには、ホットメルト系接着剤、または、ヒートシールやソニックシール等の熱溶着の技術を利用することができる。
【００４８】
パネル１は、使い捨てのおむつの他に、生理用ナプキン、失禁用吸液パッドにも使用することができる。
【００４９】
【発明の効果】
本発明に係る体液吸収性パネルによれば、障壁部が形態保持層と体液保持層とを有し、形態保持層において合成樹脂繊維どうしがそれら繊維の接点で熱融着し、体液保持層において合成樹脂繊維どうしがそれら繊維の接点で熱融着しているので、合成樹脂繊維どうしが互いの動きを拘束し合い、厚み方向へ圧力が加えられたとしても、潰れ難く、潰れたとしても再び所要の厚み寸法に復元することができる。パネルでは、それが潰れたり、潰れた状態から復元しない場合、障壁部の体積が減少して障壁部における軟便や経血等の体液の吸収能力が低下するが、このパネルでは、障壁部が潰れ難く、潰れたとしても再び所要の厚み寸法に復元するので、体液に対する吸収能力が低下することはない。
【００５０】
二つ以上のパネル部材を重ねた場合では、体液の流れ方向が障壁部によって分流され、体液を上部のパネル部材から下部のパネル部材へ向って素早く拡散させることができるので、パネルの全域を有効に利用することができる。また、二つ以上のパネル部材を重ねた場合において、開口面積が下部のパネル部材から上部のパネル部材へ向って次第に小さくなるパネルでは、下部のパネル部材から上部のパネル部材への体液の戻りを阻止することができる。
【００５１】
パネルは、使い捨ておむつや生理用ナプキン、失禁用吸液パッド等の衛生物品の使用に適している。
【図面の簡単な説明】
【図１】  体液吸収性パネルの部分破断斜視図。
【図２】  排泄物の進入、拡散、吸収を示すパネルの模式図。
【図３】  図１のパネルを使用した使い捨ておむつの部分破断斜視図。
【図４】  図３のＡ−Ａ線断面図。
【符号の説明】
１            体液吸収性パネル
２            開孔部
３            障壁部
３ａ          第１障壁部
３ｂ          第２障壁部
Ｌ１            形態保持層
Ｌ２            体液保持層
Ｍ            寸法
【図１】
0003964611.tif 000002
【図２】
0003964611.tif 000003
【図３】
0003964611.tif 000004
【図４】
0003964611.tif 000005